(57)【特許請求の範囲】
【請求項１】
生体情報を収集するための複数の検査装置と、
前記複数の検査装置から無線通信により前記生体情報を受信する通信装置の子ノードと、
前記子ノードからの前記生体情報を外部へ送信する通信装置の親ノードと、
前記生体情報の収集対象である被験者を識別するための個人認識装置と、
を備え、
前記個人認識装置が、前記子ノードに設けられていることを特徴とする生体情報管理システム。
【請求項２】
請求項１記載の生体情報管理システムにおいて、前記子ノードが、少なくとも指先と同一大きさの操作ボタンを有し、その操作ボタンに、被験者の指紋を採取する手段が設けられることを特徴とする生体情報管理システム。
【請求項３】
請求項１記載の生体情報管理システムにおいて、前記個人認識装置が、前記子ノードの充電器に設けられることを特徴とする生体情報管理システム。
【発明の詳細な説明】
【０００１】
【発明の属する技術分野】
本発明は、トイレに設置された尿検査装置などを利用して個人の生態情報を収集し、健康管理や医療に役立てるための生体情報管理システムに関する。
【０００２】
【従来の技術】
尿には様々な生体情報が含まれており、健康診断などの時には必ず尿検査が行われる。検査には試験紙が使われ、尿をかけたときの試験紙の色の変化により、尿糖、尿蛋白、ＰＨなど人体の健康異常を目視で判別する。この試験方法は装置が必要でなく、コストも安いことから数多く利用されている。しかし試験紙は使い捨ての上に色変化を利用した目視による判別のため精度がよくないということから、尿糖検査や尿蛋白検査等の生体情報検出機能をもつトイレ装置が提案された。この装置の場合、検査された生体情報の結果はトイレ装置に設置されたＩＣカードリーダライタを介してＩＣカードに書き込まれたり、通信器を通じて同じ宅内のホームサーバーに蓄積されたりという形で保存された。
【０００３】
【発明が解決しようとする課題】
しかしながら、生体情報検出機能を持つ従来のトイレ装置において、検出結果はＩＣカードによる自己管理や、トイレ装置の設置された屋内だけの通信を利用したホームサーバーヘのデーターの蓄積にすぎない。よって、この検出結果を基に医師の相談や診療を受けるには、そのデータを記憶したディスクやプリントアウトしたものを病院に持参するなどして医師に渡さなければならず面倒であるし、医師による素早い対応も不可能である。
【０００４】
また、ユーザや医師にとって使い易く、健康管理や医療行為に効果的に役立ち、かつ信頼性のある製品を実現するには、システム構成、個々の構成部品の構成、データの保持や加工や提示の仕方、データの通信の仕方、ユーザの個人識別の手法、尿だけでなく他の生体情報（体重、血圧、体温など）との組み合わせの仕方などの多くの側面において改良を行うことが望まれている。
【０００５】
従って、本発明の目的は、ユーザ宅と外部の医療機関との間で簡単且つ迅速に生体情報や診断結果をやりとりできる生体情報管理システムを提供することにある。
【０００６】
本発明の別の目的は、ユーザにとって使い易い生体情報管理システムを提供することにある。
【０００７】
本発明の更に別の目的は、医師にとって使い易い生体情報管理システムを提供することにある。
【０００８】
本発明の更に別の目的は、ユーザの健康管理に効果的に役立つ生体情報管理システムを提供することにある。
【０００９】
本発明の更に別の目的は、医師の医療行為に効果的に役立つ生体情報管理システムを提供することにある。
【００１０】
本発明の更に別の目的は、信頼性のある生体情報管理システムを提供することにある。
【００１１】
本発明の更に別の目的はシステム構成を改良した生体情報管理システムを提供することにある。
【００１６】
本発明の更に別の目的は、データの通信の仕方を改良した生体情報管理システムを提供することにある。
【００１７】
本発明の更に別の目的は、ユーザの個人識別の手法を改良した生体情報管理システムを提供することにある。
【００１９】
【課題を解決するための手段】
本発明に従う生体情報管理システムは、生体情報を収集するための複数の検査装置と、それら複数の検査装置から赤外線通信などの無線通信により生体情報を受信する通信装置の子ノードと、子ノードからの生体情報を外部へ送信する通信装置の親ノードと、生体情報の収集対象である被験者を識別するための個人認識装置とを備え、前記個人認識装置が、前記子ノードに設けられている。
【００２０】
本発明の好適な実施形態では、個人認識装置は、被験者の指紋を採取する手段と、採取した指紋と予め登録された複数の者の指紋とを照合することにより被験者を特定する手段とを備える。採取手段は、例えばＣＣＤカメラ（固体撮像素子カメラ）が用いられる。
【００２１】
上記実施形態の変形例では、個人認識装置は、子ノードに設けられる。
【００２２】
子ノードは、少なくとも指先と同一大きさの操作ボタンを有し、その操作ボタンに、被験者の指紋を採取する手段が設けられる。
【００２３】
上記実施形態の別の変形例では、個人認識装置は、子ノードの充電器に設けられる。
【００２５】
上記実施形態では、通信装置として、電話機、通信機能付きプリンタ、通信機能付きパーソナルコンピュータ、家庭内ＬＡＮ、無線送受信装置、赤外線通信装置、構内電話システム、携帯無線システム、光通信システム、有線通信システム、ＰＨＳ、ホームテレホンシステム、イントラネットのいずれかが用いられるか、或いはこれらの組合わせを含んだものが用いられる。
【００３７】
【発明の実施の形態】
以下、本発明の実施の形態を、図面により詳細に説明する。
【００３８】
図１は、本発明の一実施形態にかかる生体情報管理システムの全体構成を示す。
【００３９】
このシステムは多数のユーザが利用でき、また、それらのユーザが利用する多数の医療機関（病院や保健所など）もこのシステムを利用する。個々のユーザの住居や職場など（以下、ユーザ住居という）１には、ユーザの生体情報を検出するためのユーザシステム９が設置される。また、少なくとも１つの情報サービスセンタ３が設置され、そこには、多数のユーザシステム９から生体情報を一手に集めて加工し診断結果などの付加価値をつけてユーザシステム９にフィードバックするサービスを行うコンピュータシステム（以下、センタシステムという）３１が設置される。このセンタシステム３１は、多数のユーザの生体情報やその医師による診断結果を蓄積するためのデータベース３３を備える。また、個々の医療機関５にも、それぞれの業務を行うためのコンピュータシステム（以下、病院システムという）３５が設置される。
【００４０】
ユーザシステム９、センタシステム３１及び病院システム３５はそれそれ、公衆電話網やインターネットのような公衆通信網７に接続される。この公衆通信網７を通じて、ユーザシステム９からセンタシステム３１へ、ユーザから検出した生の生体情報４１が送られ、それがセンタシステム３１のデータベース３３に蓄積された後、センタシステム３１によってユーザ及び医師の利用に適した形態に加工され、再びデータベース３３に蓄積される。ユーザ用に加工された生体情報４３は、センタシステム３１から公衆通信網７を通じてユーザシステム９へフィードバックされ、ユーザに提示される。また、医師用に加工された生体情報４５は、センタシステム３から公衆通信網７を通じて病院システム３５へ送られ、医師に提示され、それに基づき医師は診断を行う。医師の診断結果は、病院システム３５に入力され、病院システム３５からセンタシステム３１へ送られ、データベース３３に蓄積され、更に、センタシステム３１からユーザシステム９へ送られ、ユーザに提示される。
【００４１】
ユーザシステム９は、ユーザ住居１内に設置された各種の生体情報検出装置、例えば、尿検査装置１９、血流検査装置２１、体重計２３などを備える。尿検査装置１９は、尿糖、尿潜血、尿蛋白、尿ＰＨ等を測定するものであり、トイレブース１１内の便器１３の便座に取り付けられた採尿装置１５と、この採尿装置１５に接続された検査装置本体１７とを有する。血流検査装置２１は、血圧、脈拍などの血流に関する測定を行う装置で、例えば、ユーザの指を挿入するトンネルをもったアーチ型のタイプであり、例えば、ペーパーホルダ２２の上部のような、指を挿入し易い場所に取り付けられている。体重計２３は、例えば、平板形状を有し、例えば、トイレブース１１の便器１３前の床上のような、トイレ使用時に体重測定するのに適した所に配置される。また、これら以外にも、下痢や血便等の便状態を測定する検便装置や体温計などの他の生体検査装置や、温度計や湿度計や時計などの環境測定装置も、上記の検査装置とは別個に、又は上記の検査装置に組み込んだ形態で設備することができる。また、上記した検査・測定装置の具体的構成や設置場所は一実施形態として例示に過ぎず、他の構成の装置を用いたり、それをトイレブース内の別の場所又はトイレブース以外の適当な場所に設置した実施形態も勿論可能である。
【００４２】
ユーザシステム９は、また、ユーザ住居内の装置間通信を中継しまた公衆通信網７と通信するための通信・中継システム２９を備える。通信・中継システム２９には、単独電話機、構内電話システム、携帯無線電話、ＰＨＳ、通信機能付きパーソナルコンピュータシステム、通信機能付きプリンタ、家庭内ＬＡＮなどの様々なものを含ませることができる。この通信・中継システム２９は、電話回線に接続される親ノード２５と、この親ノード２５と電波による無線双方向通信チャネル５１で結ばれる少なくとも１台の子ノード２７とを備える。子ノード２７は、トイレブース１１内に設置され、トイレブース１１内の検査装置１９、２１、２３の各々と赤外線による双方向通信チャネル５３、５５、５７で結ばれる。子ノード２７は、各検査装置１９、２１、２３と赤外線でやりとりでき、且つユーザが操作しやすい場所、例えばトイレブース２７の側壁面に取りつけられる。子ノード２７の主たる機能は、検査装置１９、２１、２３と親ノード２５との間の通信中継機能であるが、その他に、検出された生体情報を蓄積する機能や、蓄積した生体情報を時系列的にグラフで表示する機能や、検出された生態情報に基づいて健康状態の簡単な異常や正常などの簡易判定を行う機能、ユーザが健康状態に関するコメントを入力する機能、ユーザが体重や体温や摂取カロリーなどの数値を入力する機能などを持たせることもできる。さらに、子ノード２７に、便器１３のリモートコントローラ（例えば、ビデや肛門洗浄装置や暖房便座などのリモートコントローラ）や、検査装置１９、２１、２３のリモートコントローラとしての機能を付与することもできる。
【００４３】
本実施形態では、個々の検査装置１９、２１、２３が個別の赤外線チャネル５３、５５、５７を用いてそれぞれ子ノード２７と双方向通信可能に接続されるが、他の通信形態、例えば、尿検査装置１９の本体１７だけが子ノード２７と赤外線通信可能であって、他の検査装置２１、２３は尿検査装置本体１７と有線又は赤外線で通信可能に接続されているような実施形態も可能である。要するに、混信が生じることなく各検査装置１９、２１、２３からのデータが子ノード２７に送られるようになっていればよい。
【００４４】
親ノード２５は、子ノード２７が検査装置１９、２１、２３から収集した生体情報（及び、場合によっては、ユーザ入力されたコメントや数値）を公衆通信網７を通じて情報サービスセンタ３へ送信したり、情報サービスセンタ３から加工された生体情報や医師の診断結果などを受け取って、プリントアウトしたりディスプレイしたりする役割をもつ。また、親ノード２５は、情報サービスセンタ３から受信した情報の中から所定のものを子ノード２７へ送る機能を持つこともできる。例えば、医師の診断結果中に含まれるユーザに対する目標値や許容範囲（例えば、尿糖値の目標値、尿糖値が異常か正常かの判定閾値など）を親ノード２５から子ノード２７に送ることによって、子ノード２７において、検査を行ったその場で簡易判定を行ってユーザに結果を返すようなことも可能となる。
【００４５】
図１には示してないが、ユーザシステム９には、誰の生体情報を収集したのかを判別するための個人識別装置も備えている。この個人識別装置は、検査装置１９，２１，２３、通信・中継システム２９、便器１３（局部洗浄便座装置など）又はペーパホルダ２２のいずれかに組み込まれていても、それら装置とは別個に単体で設けられていてもよいが、好ましくは、検査を行う際（例えば、便座に座ったとき）にユーザが操作しやすい場所、例えば、トイレブース１１内のペーパホルダ２２の上部、尿検査装置１９や血流検査装置２１や便器（局部洗浄便座装置など）１３のコントローラ部分、又は子ノード２７に組み込まれていたり、或いは、便器１３に取り付けられ又は便器１３の付近に設置される。個人識別の方法としては、ユーザ自身が個人識別装置にキー入力したり個人識別カードを挿入したりする方法、ユーザが血流検査装置２１に指を挿入したり各種装置の作動ボタンを指で押したり或いは特別に設けた指紋検出窓に指を当てたりしたときにユーザの指紋を検出して識別する方法、ユーザに発声させて声紋から判別する方法、ユーザを検査して生体情報を取得したときに今取得した生体情報と過去に取得していた生体情報から学習した個人の生体情報特徴とを照合して識別する方法など、種々の方法を選択的に又は組み合わせて採用することができる。
【００４６】
図２は、上記システムに適用される個人認証装置を備える指式血圧計の一例を示す。
【００４７】
この個人認証装置は、被験者を特定するためのもので、ＣＣＤ（固体撮像素子）カメラ（図示しない）を有する指紋検出窓５９と、予め登録された被験者になり得る複数の人の指紋情報とＣＣＤカメラからの撮像指紋情報とを照合して被験者を特定する照合部（図示しない）とを備える。なお、符号２４は血圧測定のための操作ボタン、符号２６は血圧測定値等を表示するための表示窓、符号２８は紙ロールである。
【００４８】
従来、被験者の個人認証を行う場合には、予め個人登録されたカードや、無線式カード等を用いたり、或いは、被験者自身のテンキー操作による受付作業を必要としていた。しかし、上述した例では、被験者自身が特に意識しなくてもトイレ内での必然的な動作により被験者の個人認証を自動的に行うことができる。
【００４９】
上記構成の個人認証装置又はその指紋検出窓５９を、例えば図３に示すような、トイレブースや浴室等に設置される手摺６１に備えることもできる。なお、指紋以外に、例えば手の形や大きさ、或いは指の長さや太さ等から被験者の個人認証を行えるよう、個人認証装置を構成することもできる。
【００５０】
図４は、上述した構成の個人認証装置を備える尿検査装置本体１７の斜視図、図５は、本体１７の平面図である。
【００５１】
図示の尿検査装置本体１７では、上述した指紋検出窓５９が、本体１７上面の操作パネル内に設置される。なお、尿検査装置１９の作動ボタンに指紋検出窓５９を設けて、指紋検出を完了した時点で尿検査装置１９を作動開始させるようにしても良い。
【００５２】
図２５は、ユーザシステム９がもつ各種の検査装置（例えば、尿検査装置本体１７）に取付けられる赤外線通信用の通信アダプタの取付構造の一例を示す部分斜視図である。
【００５３】
図２５に示すように、尿検査装置本体１７には、外部装置と接続するための接続窓１３３を有し、この窓１３３内には所定インタフェース（例えば、ＲＳ−２３２Ｃ）のコネクタ１３７と、固定ナット１３９、１３９がある。外部装置としては、同じインタフェースをもった種々の機器（パーソナルコンピュータ、プリンタなど）が接続できるが、その一つに、赤外線通信用の通信アダプタ１３５がある。通信アダプタ１３５は、そのボルト穴１４１、１４１にボルト１４３、１４３を通し、そのボルト１４３、１４３を装置本体１７側の固定ナット１３９、１３９にねじ込むことにより、接続窓１３３を覆うようにして装置本体１７に固定され、装置本体１７側のコネクタ１３７と通信アダプタ１３５側のコネクタ（図示せず）が結合される。通信アダプタ１３５は、マイクロコンピュータ（図示しない）を内蔵し、コネクタ１３７を通じて装置本体１７から取得した測定値情報を記憶すると共に、赤外線通信部１４６を通じて図１に示した子ノード２７との間で通信を行う。
【００５４】
図６は、上述した構成の個人認証装置を備える充電器の斜視図である。
【００５５】
この充電器６３は、上記通信・中継システム２９の子ノード２７を充電するためのもので、人間の掴み易い箇所、例えば充電器６３の外側面に上記指紋検出窓５９が設けられる。なお、符号２８は子ノード２７の赤外線通信用の信号窓であり、符号６４は充電器６３の赤外線通信用の信号窓である。上記信号窓２８、６４を通じて子ノード２７と充電器６３との間で赤外線通信が行われる。また、子ノード２７には、局部洗浄装置や上述した各検査・測定装置の作動用リモコンとしての機能も搭載されているものとする。
【００５６】
図７は、上記システムにおいて、個人認識装置を備える検査・測定装置とそうでない検査・測定装置との間で行われる個人認識情報の授受の態様を示すブロック図である。
【００５７】
図７において、個人認識装置を備えない装置Ａでの測定結果は、個人認識装置を備える装置Ｂへ送信される。装置Ｂでは上記測定結果を受信した後、装置Ｂが備える個人認識装置Ｃから被験者を認知した旨の通知があると、上記測定結果と共に被験者名が表示部ｂに表示される。この表示を見て被験者が装置ＢのＯＫボタンを押すと上記測定結果が採用され、一方、装置ＢのＮＯボタンを押すと上記測定結果は不採用になる。
【００５８】
図８は、図７に記載した個人認識装置を備える検査・測定装置の変形例を示すブロック図である。
【００５９】
図８では、個人認識装置を備える装置Ｂ´には、予め各被験者毎に割当てられた複数個（図では４個）の個人識別用スイッチｂ１〜ｂ４が設置される。各識別用スイッチｂ１〜ｂ４は、装置Ａからの測定結果を受信するのと同期して点滅を開始し、各識別用スイッチｂ１〜ｂ４中から被験者が自身に割当てられたスイッチを押すことで個人認識が行える。
【００６０】
図７及び図８に示したように構成することで、１個の個人認識装置を複数の検査・測定装置が共有することができ、それにより、システムの低コスト化及び小型化を図ることができる。
【００６１】
図９は、上記システムに適用される子ノード２７を示す説明図である。
【００６２】
図９に示した子ノード２７では、各種操作ボタンのうち、操作する頻度の高いボタン２８、３０の大きさを指先大（つまり、直径２ｃｍ程度）の大きさに設定し、それらのボタン（２８、３０）に、個人認識用の指紋検出窓を設けることしたものである。
【００６３】
上記のように操作頻度の高いボタンを大きくすることにより、例えば比較的重症の糖尿病患者のような眼の悪い被験者であっても、上記ボタンに触れることができるようになる。なお、子ノード２７が、尿検査用、取り分け尿糖検査用のリモコンをも兼ねているときは、尿糖検査ための作動ボタンを上記のように大きく設定して、それに指紋検出窓を設けることとしてもよい。
【００６４】
図１０は、子ノード用充電器が設置されるトイレブースを示す斜視図である。
【００６５】
図１０に示したトイレブース１１では、子ノード用充電器６３が尿検査装置本体１７に取付固定されている。子ノード用充電器６３は、尿検査装置本体１７に限らず、トイレブース１１の壁面や、温水洗浄便座等に取付固定するようにしてもよい。なお、子ノード２７と子ノード用充電器６３とを電気的に接続させる方式には、子ノード２７の端子を充電器６３側に差込む方式、子ノード２７を単に充電器６３上に載置する方式、子ノード２７をスライドさせてその端子を充電器６３側に挿入する方式、マグネットを用いて子ノード２７を充電器６３に接続させる方式等がある。
【００６６】
図１１は、通信・中継システム２９の子ノード２７と、その充電器とを示す斜視図である。
【００６７】
図１１において、充電器６３による子ノード２７への充電は、充電器５３側のコイル６５に交流電流を流すことにより、電磁誘導によって子ノード２７側のコイル６７に交流電流を生じさせ、それを整流器６９で整流した後、蓄電池７１に充電することにより行われる。上記のような充電方法を採用することにより、トイレ空間のようなアンモニアや、塩酸や、湿度の高い環境下においても安全確実に子ノード２７への充電を行うことができる。また、たとえ充電部を手等で触れても感電することがないので安全であり、且つ、清掃が容易に行える。
【００６８】
図１２は、検査・測定中の情報をリアルタイムで表示部に表示する機能を有する通信・中継システム２９の子ノード２７を示す。
【００６９】
図１２において、子ノード２７の表示部２７ａには、例えば血圧や脈拍等の測定装置による測定中に、そのトレンドデータ（例えばグラフ化されている）や、前回の測定データ等が表示される。これにより、今回の測定結果が前回よりも改善されたか、全体の傾向として良い方向に推移しているのかを、被験者が自身の視覚により判断することができる。
【００７０】
図１３は、図１２に示した表示部２７ａの表示動作に係る処理流れを示す。
【００７１】
図１３において、被験者の便座への着座が検知され（ステップＳ１）、例えば測定装置に設置される個人認識のための操作ボタンがＯＮされると（ステップＳ２）、上記測定装置による測定結果が上述したセンタシステム３１により読込まれる（ステップＳ３）。そして、センタシステム３１において、図１で説明したような処理が施された後、データベース３３に蓄積される。次に、上記処理が施された後の測定結果が、データベース３３から読出され、親ノード２５を通じて子ノード２７の表示部２７ａに表示される（ステップＳ４）。この表示は被験者が着座中継続される（ステップＳ４、Ｓ５）。そして、被験者が離座した後、１０秒経過すると（ステップＳ６）、表示部２７ａへの表示を止める（ステップＳ７）。この例では、上記ステップＳ３で読み出されるデータは、センタシステム３１から取り込むものとして説明したが、アダプタ１３５、子ノード２７、親ノード２５及び尿検査装置本体１７に夫々一時的に蓄えられているものを使用しても、上記と同様の効果を奏し得る。
【００７２】
図１４は、個人認識情報を視覚情報及び音声情報として提供する個人認識装置を示すブロック図である。
【００７３】
図１４において、個人認識装置７３は、例えば図３で示した手摺６１や、或いは図４で示した尿検査装置本体１７に内蔵されるもので、無線（又は赤外線）通信装置７５に接続される。例えば、個人認識装置７３において被験者を特定できた時点で、その認識結果が無線（又は赤外線）通信装置７５、及び親ノード２５を通じて子ノード２７へ送られ、子ノード２７において、視覚情報及び音声情報として被験者に提供される。仮に、被験者の氏名が『田中宏』であったとすれれば、子ノード２７の表示部２７ａには「田中宏さんですね」というメッセージが表示されると共に、子ノード２７のスピーカ（図示しない）からは上記と同一のメッセージが音声出力される。
【００７４】
図１５は、生体情報である体重や血圧等の測定値情報の蓄積機能を備える測定装置の構成を示すブロック図である。
【００７５】
図１５において、測定開始スイッチ７７を投入すると、ＣＰＵ７９は測定センサ８１からの測定値情報を読込んで、メモリ８３に書込む。メモリ８３には、１人の被験者当たり複数回分の測定値情報が、１レコード分記憶される。メモリ８３内の測定値情報は、ＣＰＵ７９の制御下で、伝送スイッチ８５が操作されることにより、送信器８７から送信される。上記測定値情報は、他の検査・測定装置の受信器８９により受信され、上記他の装置の表示装置９１に測定日時順にサイクリックに表示される。体重計や血圧計には、個人認識装置がないので、例えば尿糖検査の時点で被験者を特定できた場合などに、尿糖値と共に上記測定値情報を、尿検査装置１９から子ノード２７及び親ノード２５を通じて図１のセンタシステム３１に送信する。なお、メモリ８３内の情報は、メモリ数が上限に達すると最も古いものから順に消去される。
【００７６】
図１６は、個人認識装置を尿検査装置にのみ備えた構成の生体情報管理システムを示すブロック図である。
【００７７】
図１６に示すように、尿検査装置１９に、個人認識装置７３、送受信装置９２及び表示装置９３が接続される。
【００７８】
尿検査装置１９が使用されることにより被験者が特定されたとき、尿検査装置１９は、体重計２３、体脂肪計９５、心電計９７、血圧計２１、疲労度計９９、発汗量計１０１、肺活量計１０３、体温計１０５及び脳波計１０７から測定情報を取得すべく通信を行う。そして、尿検査の結果と、それらの測定値情報とを同一被験者の測定値情報として、送受信装置９２を通じて図１のセンタシステム３１に送信するか、或いは、それらの情報を表示装置９３に出力する。なお、例えば体重を測定した時刻と、血圧を測定した時刻との時間が所定時間以内であれば、体重測定値と血圧測定値とが同一被験者のものであるとして、それらの測定値と尿検査結果とを送受信装置９２を通じて送信することになる。
【００７９】
図１７は、着座センサを備える基台の裏面図である。
【００８０】
基台１０９は、上述した尿検査装置１５の一部をなすもので、図示のように、略Ｕ字形状を呈しており、洋式便器の便槽の前方部分に固定的に取付けられ、その上面に便座が当接するようになっている。基台１０９の裏面に、複数個（図１７では３個）のゴム足１１１と、着座センサとしての少なくとも１個の感圧ゴム１１３と、ＣＰＵ１１５と、尿検査部（センサ部）１１７とが備えられる。上記複数個のゴム足１１１を、感圧ゴム、つまり、着座センサに置換することも可能である。
【００８１】
感圧ゴム１１３は、被験者の着座による圧力増加に応じて電気抵抗値が可変する。この性質を利用して着座検出が行われる。尿検査装置１９に設置される個人認識装置による個人認識の結果及び尿検査装置１９の測定結果は、感圧ゴム１１３から着座検出信号が出力されている間のみ有効とする。その理由は、被験者が便座から離座した時点で別の被験者と交代したものと見做すからである。
【００８２】
図１８は、各々が赤外線通信機能を備える尿検査装置及び子ノードを示す斜視図である。
【００８３】
図１８において、尿検査装置本体１７には、赤外線の投受光部１１９と、それを覆う可視光除去フィルタ１２１とが設けられ、同様に、子ノード２７にも、赤外線の投受光部１１９と、それを覆う可視光除去フィルタ１２１とが設けられる。これにより、尿検査装置本体１７と子ノード２７との間の赤外線通信において、ノイズになる可視光の影響を除去することができる。
【００８４】
図１９は、各々が赤外線通信機能を備える検査・測定装置及び子ノードの位置を示す配置図である。
【００８５】
図１９において、体重計２３が被験者１２３の測定値情報を子ノード２７に赤外線通信で送信しようとするとき、被験者１２３が、図示のように体重計２３と子ノード２７との間にいて通信の障害になっている場合には、光はトイレ空間に広がる。そのため、上記測定値情報は、それを予め受信していた指式血圧計２１から子ノード２７へ送信されることになる。上記とは逆に、指式血圧計２１が測定値情報を子ノード２７に赤外線通信で送信しようとするとき、被験者１２３が通信の障害になっている場合には、上記測定値情報を、体重計２３を介して子ノード２７に送信することになる。これにより、上記のような通信障害を回避することができる。
【００８６】
図２０は、検査・測定装置と子ノードとの間で行われる赤外線通信における処理流れを示す図である。
【００８７】
図２０において、例えば体重計２３からの測定値（体重）情報が、子ノード２７に向けて赤外線で送信されたことを指式血圧計２１が受信し（ステップＳ１１）、子ノード２７からそれを受信した旨の通知があれば（ステップＳ１２）、指式血圧計２１はそれまで保持していた上記測定値（体重）情報を消去する（ステップＳ１７）。一方、決められた時間内に子ノード２７から受信した旨の通知がない場合には（ステップＳ１２）、上記測定値情報を受信し、子ノード２７から受信した旨の通知があった時点で上記測定値（体重）情報を消去する（ステップＳ１３、Ｓ１１、Ｓ１２、Ｓ１７）。送信回数が３回に達しても子ノード２７から上記通知が得られないときには（ステップＳ１３）、上記測定値情報を指式血圧計２１が子ノード２７へ送信する（ステップＳ１４）。子ノード２７からそれを受信した旨の通知があれば（ステップＳ１５）、指式血圧計２１はそれまで保持していた上記測定値（体重）情報を消去する（ステップＳ１７）。一方、子ノード２７から受信した旨の通知がない場合には（ステップＳ１５）、上記測定値情報を再送信し、子ノード２７から受信した旨の通知があった時点で上記測定値情報を消去する（ステップＳ１６、Ｓ１４、Ｓ１５、Ｓ１７）。送信回数が３回に達しても子ノード２７から上記通知が得られないときにも、上記測定値情報を消去する（ステップＳ１６、Ｓ１７）。
【００８８】
図２１は、生体情報管理システムにおける生体情報の蓄積の態様を示すブロック図である。
【００８９】
図２１において、センタシステム３１側では、予め家庭名別、個人名別、測定対象別に階層状のホルダを作成しておく。そして、各家庭Ａ、Ｂ、Ｃから公衆通信網７を通じて送信される生体情報を、まず家庭名（Ａ、Ｂ、Ｃ）ホルダにファイルし、次に、各家庭（Ａ、Ｂ、Ｃ）に属する個人名（１、２、３）ホルダにファイルする。更に、各個人について測定対象（尿、体重、血圧、…）別ホルダにファイルする。又は、新しく送信された情報は、同一月のファイルの古い情報に追加してファイルする。各家庭Ａ、Ｂ、Ｃから送信される情報は、例えば乱数等を用いて暗号化された状態でセンタシステム３１に受信される。各家庭からの生体情報を、上記態様で蓄積することにより、情報の検索が容易になる。
【００９０】
図２２は、生体情報管理システムにおける各家庭からの生体情報の収集の態様を示すブロック図である。
【００９１】
図２２において、センタシステム３１では、一般人が活動を停止する時間帯である深夜（０時〜４時）に、交換機１２５を通じて各家庭Ａ、Ｂ、Ｃのユーザシステム９を呼び鈴を鳴動させずに呼出し、夫々のユーザシステム９に蓄積されている測定値情報の送信を要求し、各ユーザシステム９から測定値情報を受信する。そして、受信した測定値情報を、各家庭毎に設定されるホルダにファイルする。この例では、被験者は、各検査・測定装置で検査・測定を受けるだけでよく、測定値情報の入力や、センタシステム３１への送信を行う必要がない。これらの処理は、システムが自動的に実行する。また、センタシステム３１による測定値情報の収集は、夜中に呼び鈴を鳴動させることなく行うので、家人に迷惑をかけるおそれもなく、日常活動に支障になることもない。
【００９２】
図２３は、生体情報管理システムにおける各家庭からの生体情報の収集の処理流れを示す図である。
【００９３】
図２３において、通信・中継システム２９に着信があると（ステップＳ２１）、それがセンタシステム３１側からの発呼か否かを確認する（ステップＳ２２）。この確認の結果、センタシステム３１側からの発呼であれば、呼び鈴を鳴動させることなく（ステップＳ２３）、蓄積されている生体情報をセンタシステム３１側に送信する（ステップＳ２４）。一方、ステップＳ２２でセンタシステム３１側からの発呼でないことが確認できたときは、呼び鈴を鳴動させる（ステップＳ２５）。
【００９４】
図２４は、生体情報管理システムにおける各家庭への生体情報の送信の態様を示すブロック図である。
【００９５】
図２４において、データベース３３には、各家庭Ａ、Ｂ、Ｃ毎の生の生体情報をファイルするためのホルダや、例えばグラフやコメント等から成るトレンド情報や、医師による診断結果等の情報をファイルするための各家庭Ａ、Ｂ、Ｃ毎のホルダ等が格納される。センタシステム３１は、上記トレンド情報や診断結果等の情報を、例えば月１回或いは２回程度定期的に交換機１２５を通じて各家庭Ａ、Ｂ、Ｃのユーザシステム９に送信する。センタシステム３１は、内蔵するタイマ（図示しない）により、上記情報の送信日時を管理する。
【００９６】
センタシステム３１は、各家庭Ａ、Ｂ、Ｃのユーザシステムに、上述した通信・中継システム２９が用いられているときは、上記情報をビットマップデータに生成して送信する。また、各家庭Ａ、Ｂ、Ｃのユーザシステムに、上記通信・中継システム２９に代えてパソコン（パーソナルコンピュータ）が用いられているときは、ワープロ用データとして（つまり、アプリケーションソフトが理解できる形式で）、送信する。なお、センタシステム３１から各家庭Ａ、Ｂ、Ｃへの情報の送信は、深夜に実行するため、１回当りの送信時間は１０秒以内が望ましく、センタシステム３１では、１０秒以内に送信が完了するよう情報量を調整することになる。
【図面の簡単な説明】
【図１】本発明の一実施形態に係る生体情報管理システムの全体構成を示すブロック図。
【図２】図１のシステムに適用される個人認証装置を備える指式血圧計の一例を示す斜視図。
【図３】図１のシステムに適用される個人認証装置を備える手摺の一例を示す斜視図。
【図４】図１のシステムに適用される個人認証装置を備える尿検査装置本体の斜視図。
【図５】図４で示した尿検査装置本体の平面図。
【図６】図１のシステムに適用される個人認証装置を備える充電器の斜視図。
【図７】個人認識装置を備える検査・測定装置とそうでない検査・測定装置との間で行われる個人認識情報の授受の態様を示すブロック図。
【図８】図７の個人認識装置を備える検査・測定装置の変形例を示すブロック図。
【図９】生体情報管理システムに適用される子ノードを示す説明図。
【図１０】子ノード用充電器が設置されるトイレブースを示す斜視図。
【図１１】通信・中継システムの子ノードと、その充電器とを示す斜視図。
【図１２】検査・測定中の情報をリアルタイムで表示部に表示する機能を有する通信・中継システムの子ノードを示す図。
【図１３】図１２に示した表示部の表示動作に係る処理流れを示すフローチャート。
【図１４】個人認識情報を視覚情報及び音声情報として提供する個人認識装置を示すブロック図。
【図１５】生体情報である体重や血圧等の測定値情報の蓄積機能を備える測定装置の構成を示すブロック図。
【図１６】個人認識装置を尿検査装置にのみ備えた生体情報管理システムのブロック図。
【図１７】着座センサを備える基台の裏面図。
【図１８】各々が赤外線通信機能を備える尿検査装置及び子ノードを示す斜視図。
【図１９】各々が赤外線通信機能を備える検査・測定装置及び子ノードの位置を示す配置図。
【図２０】検査・測定装置と子ノードとの間で行われる赤外線通信における処理流れを示す図。
【図２１】生体情報管理システムにおける生体情報の蓄積の態様を示すブロック図。
【図２２】生体情報管理システムにおける各家庭からの生体情報の収集の態様を示すブロック図。
【図２３】生体情報管理システムにおける各家庭からの生体情報の収集の処理流れを示す図。
【図２４】生体情報管理システムにおける各家庭への生体情報の送信の態様を示すブロック図。
【図２５】尿検査装置本体に取付けられる赤外線通信用の通信アダプタの取付構造の一例を示す部分斜視図。
【符号の説明】
１  ユーザ住居
３  情報サービスセンタ
５  医療機関
７  公衆通信網
９  ユーザシステム
１１  トイレブース
１３  便器
１５  採尿装置
１７  尿検査装置本体
１９  尿検査装置
２１  血流検査装置
２２  ペーパーホルダ
２３  体重計
２５  親ノード
２７  子ノード
２９  通信・中継システム
３１  センタシステム
３３  データベース
３５  病院システム
４１  生の生体情報
４３  ユーザ用に加工された生体情報
４５  医師用に加工された生体情報
５１  無線双方向通信チャネル
５３、５５、５７  赤外線による双方向通信チャネル
【図１】
0003591348.tif 000002
【図２】
0003591348.tif 000003
【図３】
0003591348.tif 000004
【図４】
0003591348.tif 000005
【図５】
0003591348.tif 000006
【図６】
0003591348.tif 000007
【図７】
0003591348.tif 000008
【図８】
0003591348.tif 000009
【図９】
0003591348.tif 000010
【図１０】
0003591348.tif 000011
【図１１】
0003591348.tif 000012
【図１２】
0003591348.tif 000013
【図１３】
0003591348.tif 000014
【図１４】
0003591348.tif 000015
【図１５】
0003591348.tif 000016
【図１６】
0003591348.tif 000017
【図１７】
0003591348.tif 000018
【図１８】
0003591348.tif 000019
【図１９】
0003591348.tif 000020
【図２０】
0003591348.tif 000021
【図２１】
0003591348.tif 000022
【図２２】
0003591348.tif 000023
【図２３】
0003591348.tif 000024
【図２４】
0003591348.tif 000025
【図２５】
0003591348.tif 000026